(57)【要約】      （修正有）【課題】装飾品、紡織品、個人的な生活用品、リハビリ商品等に応用し、尚且つ品質の安定したエネルギー製品の原料を提供する。【解決手段】エネルギー製品の原料は主に、基層４１と複数の層が基層に重なり合う被覆層４２とを含む。そのうち、基層と被覆層は、十分に攪拌混合した２５％〜３５％の天然混合の希土類鉱石及び６５％〜７５％の水溶性精油を含み、各層の厚さは約０．０４ｍｍとする。【選択図】図４
0003181774.tif 000002
【実用新案登録請求の範囲】
【請求項１】
基層と複数の被覆層を備え、
前記基層は25％〜35％の天然混合の希土類鉱石と65％〜75％の水溶性精油からなる0.04ｍｍの基材であり、
前記複数の被覆層は前記基層に一層一層重なり合い、25％〜35％の天然混合の希土類鉱石と65％〜75％の水溶性精油からなる0.04ｍｍの基材で、好ましい厚さのエネルギー原料を構成することを特徴とするエネルギー製品の原料。
【請求項２】
前記被覆層はスクリーン印刷機の印刷方式により一層一層重ね合わされることを特徴とする請求項１に記載のエネルギー製品の原料。
【請求項３】
前記被覆層は各層を印刷後、少なくとも5分間、焼成、乾燥し、各層混合後の鉱石原料を予定する層に確実に存在させ、沈殿を防ぎ、品質を確保することを特徴とする請求項２に記載のエネルギー製品の原料。
【請求項４】
前記天然混合の希土類鉱石に混合する水溶性精油は無毒であることを特徴とする請求項１に記載のエネルギー製品の原料。
【請求項５】
前記被覆層の層数は好ましくは12層であることを特徴とする請求項１に記載のエネルギー製品の原料。
【請求項６】
前記エネルギー原料の厚さは好ましくは0.5ｍｍであることを特徴とする請求項１に記載のエネルギー製品の原料。
【考案の詳細な説明】
【技術分野】
【０００１】
本考案は、特に、装飾品、紡織品、個人的な生活用品、リハビリ商品等に応用し、尚且つ品質の安定したエネルギー製品の原料に関する。
【背景技術】
【０００２】
科学技術の発展に伴い、私達の生活環境及び身体の多くには、次のような悩みが存在している。
（１）建築物の林立する区域には大量のプラスイオンがあり、テレビ、パソコン、電子レンジ、電子製品等の機器により電磁波が発せられ、並びに大量のプラスイオンが発生する。プラスイオンは疲労イオンとも呼ばれ、私達は大量のプラスイオンにさらされる環境の中で、身体や心のいずれもが疲労を感じ易くなっている。研究報告によると、プラスイオンは身体の免疫システム能力を低下させ、血液循環に影響を及ぼし、老化を加速させることが示されている。
（２）人体中には微弱な電流が流れ、上から下まで全身から脳部のデータ伝達は全て活動電流の流動によって実現される。悩みやストレスがなく非常に健康であれば、その体内の電流は規則正しく流れる。しかし、実際に非常に健康な人は極少数で、特に現代人は、精神的なストレスやパソコン等の電子機器によって発せされる電磁波の衝撃を長期的に受けているため、身体の電流に既に混乱を来たし、常に疲労感を感じている者も多い。
（３）現代人によく見られる文明病の殆どが末梢血液循環障害に起因する。末梢血液循環障害とは血液循環の不良を意味する。例えば、手足が冷えたり麻痺し易い等である。血液循環は血液が血管内を流動する状態を指し、新陳代謝は体内の細胞が細胞呼吸での不要物（例えば二酸化炭素）を血液中に排出し、その後、新鮮な酸素、糖類、栄養分を吸収することで細胞にエネルギーを提供することである。よって、血液循環がよくない人は、それに伴う新陳代謝も緩慢化し、血液の流れがゆっくりであるため、不要物、栄養分の交換も少ない。
【０００３】
市場には配合時に前述した欠点を改善できる多くの鉱石原料製エネルギー保健商品が出ている。現有製品の一例には図１に示すようなものがあるが、シリコンゲル１（或いはその他プラスチック材加工の方式）を鉱石原料２に混合してエネルギー製品の加工を行うもので、鉱石原料２の密度が高く、融点が2000℃以上であり混合が難しいため、配合する多くの媒介物質を混合した後は、シリコンゲル１（プラスチック材）が上層に存在し、鉱石原料２が底部に沈殿してしまい、製品の品質は非常に不安定なものとなり、並びに、加工過程中の原料損失も大きかった。出願人はこの問題点に鑑み、当該業務に従事した長年の経験に基いて研究と実験を続け、ついに、エネルギー製品の原料品質の安定化を図るエネルギー製品の原料を開発した。
【考案の概要】
【考案が解決しようとする課題】
【０００４】
本考案の目的は、エネルギー製品の原料の品質をさらに安定させ、装飾品、紡織品、個人的な生活用品、リハビリ商品等に応用し、製品の品質を高めるエネルギー製品の原料の提供にある。
【課題を解決するための手段】
【０００５】
前記エネルギー製品の原料は、基層と複数の層が基層に重なり合う被覆層とを含む。そのうち、基層と被覆層は、十分に攪拌混合した25％〜35％の天然混合の希土類鉱石及び65％〜75％の水溶性精油を含み、各層の厚さは約0.04ｍｍとし、これにより、好ましい厚さのエネルギー原料を構成する。
【考案の効果】
【０００６】
本考案のエネルギー製品の原料は、装飾品、紡織品、個人的な生活用品、リハビリ商品等に応用することで、使用者には、プラスイオンがもたらす好ましくない影響を抑え、身体に自然なバランスを維持させ、血液循環を促進し、代謝を高める効果を提供する。
【図面の簡単な説明】
【０００７】
【図１】公知のエネルギー原料の断面図である。
【図２】本考案の製造実施例図である。
【図３】本考案の製造のフロー図である。
【図４】本考案のエネルギー原料完成品の断面図である。
【図５】本考案のエネルギー製品の実施例図である。
【考案を実施するための形態】
【０００８】
図２及び図３には本考案の製造の実施例図と製造のフロー図を示す。図に示すとおり、本考案の製造のフローは、少なくとも次のステップを備える。
（１）25％〜35％の天然混合の希土類鉱石（鉱石原料３）と65％〜75％の無毒の水溶性精油を十分に攪拌混合し、印刷用の基材をつくる。
（２）スクリーン印刷機に印刷版を架設し、印刷面の図形及び大きさを確保する。
（３）スクリーン印刷機により基材に約0.04ｍｍの厚さで一層一層印刷し、基層４１と複数の被覆層４２を構成し、基層４１と各被覆層４２の厚さを0.04ｍｍに制御する。
（４）各層の印刷後、中温のオーブンで焼成、乾燥させる。その焼成乾燥時間は少なくとも5分とし、各層混合後の鉱石原料３を予定する層に確実に存在させ、沈殿を防ぎ、品質を確保する。
（５）前述の（３）〜（４）のステップを複数回繰り返し（好ましくは12回）、厚さを向上させ（好ましくは0.5ｍｍ）、エネルギー原料Ａを構成する。
【０００９】
前述で製造したエネルギー原料Ａは、無毒の水溶性精油の乾燥後に一定の靭性が備えられるため、装飾品、紡織品、個人的な生活用品、リハビリ商品等に応用することで、使用者には、プラスイオンがもたらす好ましくない影響を抑え、身体に自然なバランスを維持させ、血液循環を促進し、代謝を高める効果を提供する。
【００１０】
図４には本考案のエネルギー原料完成品の断面図を示す。図に示すとおり、本考案によって作製されるエネルギー原料Ａは、一層一層印刷して作られる。構成される完成品において、鉱石原料３は基層４１と各被覆層４２内に存在する。それには多少の沈殿状態があるものの、各層は安定した鉱石原料３含量が保たれ、その安全且つ無毒が加工後のエネルギー製品の品質をさらに安定化させる。
【００１１】
図５には本考案のエネルギー製品の実施例図を示す。装飾品、紡織品、個人的な生活用品、リハビリ商品等への加工が可能な本考案のエネルギー原料を、図５ではブレスレット５に加工し、手につけることができる。
【００１２】
製作されたエネルギー製品は少なくとも次の保健機能を実現する。
（１）本考案のエネルギー製品中のマイナスイオンがプラスイオンによってもたらされる好ましくない影響を抑えるのを助け、プラスイオンによる身体の免疫システム能力の低下、血液循環への影響、老化の加速化を防ぐ。
（２）本考案のエネルギー製品は、人体中で混乱する活動電流を調整し安定化させ、体内を規則正しく流れるようにするため、筋肉を柔軟にするだけでなく、身体の動作もまた更にスムーズになる。また、体内には有益な生理作用が生まれ、最も好ましい健康状態の実現を助け、身体の自然なバランスを維持させる。
（３）本考案のエネルギー製品は、希土類鉱石が遠赤外線を放出するため、血液循環を促進し、代謝を高める効果を備える。また、体内の細胞が呼吸作用のように不要物（例えば二酸化炭素）を血液中に排出し、新鮮な酸素、糖類、栄養分を吸収することで細胞にエネルギーを提供し、これにより、新陳代謝が加速化され、血液の流れが活発になり、不要物と栄養分の交換を向上させる。
【００１３】
前述をまとめると、本考案の天然混合の希土類鉱石と水溶性精油を十分に攪拌し、基材をつくる。基材を一層一層印刷した後、焼成乾燥を経て、エネルギー原料をつくる。また、鉱石原料を基層及び各被覆層内に存在させ、各層に安定化した鉱石原料含量を保持させる。並びに、その安全且つ無毒によって、加工後のエネルギー製品の品質をさらに安定化させる。
【００１４】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００１５】
１            シリコンゲル
２            鉱石原料
３            鉱石原料
４１            基層
Ａ            エネルギー原料
５            ブレスレット
４２            被覆層
【図１】
0003181774.tif 000003
【図２】
0003181774.tif 000004
【図３】
0003181774.tif 000005
【図４】
0003181774.tif 000006
【図５】
0003181774.tif 000007